(57)【要約】【課題】キャビネット本体の上方に反りを矯正して天板を取り付ける場合に、作業性に優れ、かつ、天板の損傷を防止することができるキャビネット及びキャビネットにおける天板の取付方法を提供する。【解決手段】キャビネット本体２とワークトップ３との間に、該ワークトップ３の反りを矯正する反り矯正ユニット４を設置する。その場合、該反り矯正ユニット４は、側面部３１ａでキャビネット本体２内部の側板１１に固着され、かつ、上下方向の貫通孔３１ｂ′を有する第１部材３１と、ワークトップ３の木質基材２２にあてがわれて固着される基板３５と該基板３５から垂下して前記第１部材３１の貫通孔３１ｂ′に上方から挿通されるねじ棒３６とを有する第２部材３２と、この挿通されたねじ棒３６に下方から締め付けられる皿ばねナット３７とを有する。【選択図】図４
2007222460.tif 000002
【特許請求の範囲】
【請求項１】
キャビネット本体と、該キャビネット本体の上方に取り付けられる天板とを有するキャビネットであって、
前記キャビネット本体と天板との間に、該天板の反りを矯正する反り矯正ユニットが設置されており、
該反り矯正ユニットは、側面部でキャビネット本体内部の縦面に固着され、かつ、上下方向の貫通孔を有する第１部材と、
天板の下面にあてがわれて固着される基板と該基板から垂下して前記第１部材の貫通孔に上方から挿通されるねじ棒とを有する第２部材と、
この挿通されたねじ棒に下方から締め付けられる緩み止めナットとを有することを特徴とするキャビネット。
【請求項２】
キャビネット本体と、該キャビネット本体の上方に取り付けられる天板とを有するキャビネットであって、
前記キャビネット本体と天板との間に、該天板の反りを矯正する反り矯正ユニットが設置されており、
該反り矯正ユニットは、側面部でキャビネット本体内部の縦面に固着され、かつ、上下方向の貫通孔を有する第１部材と、
天板の下面にあてがわれて固着される基板と該基板から垂下して前記第１部材の貫通孔に上方から挿通されるねじ棒とを有する第２部材と、
この挿通されたねじ棒に下方から締め付けられる緩み止めナットとを有し、かつ、
該反り矯正ユニットにより反りが矯正された天板を前記キャビネット本体に固定する固定部材が設けられていることを特徴とするキャビネット。
【請求項３】
前記ナットは、緩み止めナットであることを特徴とする請求項２に記載のキャビネット。
【請求項４】
キャビネット本体と、該キャビネット本体の上方に取り付けられる天板とを有するキャビネットにおける天板の取付方法であって、
側面部でキャビネット本体内部の縦面に固着され、かつ、上下方向の貫通孔を有する第１部材と、天板の下面にあてがわれて固着される基板と該基板から垂下して前記第１部材の貫通孔に上方から挿通されるねじ棒とを有する第２部材と、この挿通されたねじ棒に下方から締め付けられるナットとを有する反り矯正ユニットを用いて、
前記第１部材を、その側面部で前記キャビネット本体内部の縦面に固着する工程と、
前記第２部材を、その基板を前記天板の下面にあてがって固着する工程と、
前記第１部材の貫通孔に挿通された前記第２部材のねじ棒にナットを締め付けることにより、前記天板を前記キャビネット本体方向に引き寄せる工程と、
前記天板を前記キャビネット本体方向に引き寄せて密着させた状態で、両者を固定する工程とで構成されていることを特徴とするキャビネットにおける天板の取付方法。
【発明の詳細な説明】
【技術分野】
【０００１】
本発明は、キャビネット本体とその上方に取り付けられる天板とを有するキャビネット、及びキャビネットにおけるキャビネット本体への天板の取付方法に関し、室内家具の技術分野に属する。
【背景技術】
【０００２】
従来、キャビネット本体と該キャビネット本体の上方に取り付けられる天板とを有し、キッチン、リビング、玄関等に設置されるキャビネットがある。このようなキャビネットにおいて、図１０に示すように、キャビネット本体Ａ１に天板Ａ２を取り付ける場合、二点鎖線で示すように天板Ａ２の反りが大きいと、天板Ａ２とキャビネット本体Ａ１との間に矢印ｘで示すように隙間が生じることがあり、完成したキャビネットＡの見栄えが悪いという問題がある。
【０００３】
そこで前記問題を解決するため、図１１に示すように、キャビネット本体Ａ１に側面部Ｂ１を介してＬ型部材ＢをねじＣで固着したのち、二点鎖線で示すように天板Ａ２の反りのある箇所を矢印ｙ方向から押圧することにより、実線で示すようにキャビネット本体Ａ１に密着させ、この状態で天板Ａ２に上面部Ｂ２を介してＬ型部材ＢをねじＣで固着することにより、キャビネット本体Ａ１に天板Ａ２を取り付けることがある。
【０００４】
なお、キャビネット本体に対する天板の高さ位置を調節可能なものとして、例えば特許文献１に開示のキャビネットがある。このキャビネットでは、図１２に示すように、キャビネット本体Ａ１と天板Ａ２との間に、高さ調節ユニットＤが設置される。この高さ調節ユニットＤは、天板Ａ２に基端部Ｄ１１が埋設されると共にねじ部Ｄ１２が垂下する固定ボルトＤ１０と、キャビネット本体Ａ１にねじＣで固着される側面部Ｄ２１、上面部Ｄ２２、及び下面部Ｄ２３を有するコ字状のブラケットＤ２０と、前記下面部Ｄ２３のねじ孔Ｄ２３′に下方から螺合すると共にねじ部Ｄ３１が前記固定ボルトＤ１０のねじ部Ｄ１２に下方から当接する調節ボルトＤ３０と、前記固定ボルトＤ１０に螺合するナットＤ４０とを有している。その場合、ブラケットＤ２０の上面部Ｄ２２には、固定ボルトＤ１０のねじ部Ｄ１２を挿通させる貫通孔Ｄ２２′が設けられている。
【０００５】
これによれば、調節ボルトＤ３０を介して固定ボルトＤ１０を押し上げることことにより、天板Ａ２の高さ位置を所望の位置に調節することができる。さらに、ナットＤ４０を締め付けることで、キャビネット本体Ａ１に対する天板Ａ２の取り付けが完了する。
【０００６】
【特許文献１】実用新案登録公報第２５２５７３９号
【発明の開示】
【発明が解決しようとする課題】
【０００７】
ところで、図１１に示した取付構造ないし取付方法では、大きな反発力に抗して天板Ａ２を押圧しつつキャビネット本体Ａ１に取り付けなければならないため多大な労力を費やすこととなり、作業性の点で問題がある。また、ねじＣをねじ込んだのちも天板Ａ２に大きな反発力が作用するため、特に天板Ａ２が木質製や樹脂製である場合、ねじ込み部周辺の損傷が懸念される。
【０００８】
なお、参考のため図１２に示した高さ調節ユニットＤでは、天板Ａ２を固定ボルトＤ１０で持ち上げるものであるため、天板Ａ２への固定ボルトＤ１０の取り付け構造において、特に基端部Ｄ１１は、天板Ａ２の大きな反発力に抗するだけの構造にはなっていない。すなわち、この高さ調節ユニットＤでは、天板Ａ２に大きな反発力が作用すると、前記同様に天板Ａ２が木質製や樹脂製である場合、前記基端部Ｄ１１周辺の損傷が懸念される。
【０００９】
そこで、本発明は、キャビネット本体の上方に反りを矯正して天板を取り付ける場合に、作業性に優れ、かつ、天板の損傷を防止することができるキャビネット及びキャビネットにおける天板の取付方法の提供を課題とする。
【課題を解決するための手段】
【００１０】
前記課題を解決するため、本発明は次のように構成したことを特徴とする。
【００１１】
まず、請求項１に記載の発明は、キャビネット本体と、該キャビネット本体の上方に取り付けられる天板とを有するキャビネットであって、前記キャビネット本体と天板との間に、該天板の反りを矯正する反り矯正ユニットが設置されており、該反り矯正ユニットは、側面部でキャビネット本体内部の縦面に固着され、かつ、上下方向の貫通孔を有する第１部材と、天板の下面にあてがわれて固着される基板と該基板から垂下して前記第１部材の貫通孔に上方から挿通されるねじ棒とを有する第２部材と、この挿通されたねじ棒に下方から締め付けられる緩み止めナットとを有することを特徴とする。
【００１２】
なお、緩み止めナットには、例えば単体で緩み止め機能を有するもの、スプリングワッシャと通常のナットとで構成されるもの、２個の通常のナットで構成されるもの等が含まれる。
【００１３】
次に、請求項２に記載の発明は、キャビネット本体と、該キャビネット本体の上方に取り付けられる天板とを有するキャビネットであって、前記キャビネット本体と天板との間に、該天板の反りを矯正する反り矯正ユニットが設置されており、該反り矯正ユニットは、側面部でキャビネット本体内部の縦面に固着され、かつ、上下方向の貫通孔を有する第１部材と、天板の下面にあてがわれて固着される基板と該基板から垂下して前記第１部材の貫通孔に上方から挿通されるねじ棒とを有する第２部材と、この挿通されたねじ棒に下方から締め付けられるナットとを有し、かつ、該反り矯正ユニットにより反りが矯正された天板を前記キャビネット本体に固定する固定部材が設けられていることを特徴とする。
【００１４】
また、請求項３に記載の発明は、前記請求項２に記載のキャビネットにおいて、前記ナットは、緩み止めナットであることを特徴とする。なお、この場合の緩み止めナットには、前述した各構成のものが含まれる。
【００１５】
そして、請求項４に記載の発明は、キャビネット本体と、該キャビネット本体の上方に取り付けられる天板とを有するキャビネットにおける天板の取付方法であって、側面部でキャビネット本体内部の縦面に固着され、かつ、上下方向の貫通孔を有する第１部材と、天板の下面にあてがわれて固着される基板と該基板から垂下して前記第１部材の貫通孔に上方から挿通されるねじ棒とを有する第２部材と、この挿通されたねじ棒に下方から締め付けられるナットとを有する反り矯正ユニットを用いて、前記第１部材を、その側面部で前記キャビネット本体内部の縦面に固着する工程と、前記第２部材を、その基板を前記天板の下面にあてがって固着する工程と、前記第１部材の貫通孔に挿通された前記第２部材のねじ棒にナットを締め付けることにより、前記天板を前記キャビネット本体方向に引き寄せる工程と、前記天板を前記キャビネット本体方向に引き寄せて密着させた状態で、両者を固定する工程とで構成されていることを特徴とする。
【００１６】
なお、前記引き寄せ工程においてナットに緩み止めナットを使用する場合には、この緩み止めナットを締め付けること自体が前記固定工程に相当し、また、ナットに１個の通常ナットを使用する場合には、例えばＬ型部材等の固定部材を用いて固定することが前記固定工程に相当する。
【発明の効果】
【００１７】
まず、請求項１及び請求項２に記載のいずれの発明によっても、キャビネット本体と天板との間に反り矯正ユニットを設置して、側面部でキャビネット本体内部の縦面に固着された第１部材の貫通孔に、基板で天板の下面に固着された第２部材のねじ棒を上方から挿通させた状態で、このねじ棒に下方からナットを締め付けることにより、天板をキャビネット本体方向に引き寄せて密着させて天板の反りを矯正することができ、キャビネット本体の上方に反りを矯正して天板を取り付けることができる。
【００１８】
その場合、基板を介して天板とねじ棒とが強固に一体化されるので、そのねじ棒に対してナットを締め付けることにより、天板をキャビネット本体方向に大きな力で引き寄せることができ、従来のように多大な労力を費やすことはなく、作業性に優れる。また、取付後も、天板の反りが戻ろうとするときの大きな反発力は基板により均一に分散するので、木質製や樹脂製の天板の損傷を防止することができる。
【００１９】
その上で、特に請求項１に記載の発明によれば、引き寄せ時に緩み止めナットを用いるので、天板の反りが戻ろうとして大きな反発力が作用しても、また、天板取付後の使用中に振動等があっても、引き寄せ状態が持続し、キャビネット本体と天板との間に隙間が生じることはない。
【００２０】
一方、請求項２に記載の発明によれば、ナットを用いて天板をキャビネット本体方向に引き寄せて密着させたのち、固定部材でキャビネット本体と天板とを固定するので、天板の反りが戻ろうして大きな反発力が作用しても、また、天板取付後の使用中に振動等があっても、引き寄せ状態が持続し、この場合にもキャビネット本体と天板との間に隙間を生じることはない。
【００２１】
さらに、請求項３に記載の発明によれば、前記請求項２に記載の発明におけるナットに緩み止めナットを用いることにより、前記引き寄せ状態が一層持続して得られるようになる。
【００２２】
そして、請求項４に記載の発明によれば、キャビネットにおける天板の取付方法において、前記請求項１から請求項３に記載の発明におけると同様の作用効果が得られる。
【発明を実施するための最良の形態】
【００２３】
本発明の実施の形態について説明する。なお、以下の実施の形態は、本発明に係るキャビネットについてのものであるが、このキャビネットに用いられる方法は、本発明に係るキャビネットにおける天板の取付方法の実施の形態を構成する。
【００２４】
図１に示すように、本実施の形態に係るキッチンキャビネット１は、床面Ｆに設置されたキャビネット本体２と、ガスコンロ穴３ａ及びシンク３ｂが設けられて、前記キャビネット本体２の上方に取り付けられたワークトップ３とを有している。そして、図２に示すように、キャビネット本体２とワークトップ３との間に、反り矯正ユニット４が設置されている。
【００２５】
キャビネット本体２の構成を説明するための代表例として、図２及び図３に右側端部近傍を示すように、木質板材を組み付けてなるキャビネット本体２は、左右の側板（右側のもののみ示す）１１，１１と、両側板１１，１１間の下方に架設された図示しない底板と、両側板１１，１１間の後方に架設された背板１２と、両側板１１，１１間の前方上部に架設された戸当り桟木１３と、前方開口を開閉自在に覆う扉１４とを有している。
【００２６】
ワークトップ３は、ステンレス製板材からなると共に図例のように折曲された上部のカバー部材２１と、下部の木質基材２２とで構成されており、これら部材２１，２２は適宜の接合方法により一体化されている。
【００２７】
図３及び図４に示すように、反り矯正ユニット４は、キャビネット本体２に固着される第１部材３１と、ワークトップ３に固着される第２部材３２とで構成されている。
【００２８】
まず、第１部材３１は金属製の板材を側面視で略Ｌ字形に成形したもので、キャビネット本体２内部の側板１１に固着されると共に３つのねじ孔３１ａ′…３１ａ′が設けられた側面部３１ａと、上下方向の貫通孔３１ｂ′が設けられた上面部３１ｂと、上部中央の補強リブ３１ｃとを有している。また、側面部３１ａの側板１１側に、両面接着テープ３３が貼付されている。そして、第１部材３１は、前記ねじ孔３１ａ′…３１ａ′を介してねじ込まれた３本のねじ３４…３４により、側面部３１ａで側板１１に固着されている。
【００２９】
一方、第２部材３２は、ワークトップ３の下面を構成する木質基材２２にあてがわれて固着される金属製の板材でなると共に４つのねじ孔３５ａ…３５ａが設けられた平面視で矩形の基板３５と、この基板３５から垂下して前記第１部材３１の上面部３１ｂの貫通孔３１ｂ′に上方から挿通されるねじ棒３６と、この挿通されたねじ棒３６に下方から螺合して締め付けられた緩み止めナットとしての皿ばねナット３７とを有している。そして、第２部材３２は、前記ねじ孔３５ａ…３５ａを介してねじ込まれた４本のねじ３８…３８により、基板３５で木質基材２２に固着されている。
【００３０】
次に、このキッチンキャビネット１におけるワークトップ３の取付手順について説明する。
【００３１】
まず、図５に示すように、ワークトップ３に反りがあり、矢印ｘで示すように隙間が生じている箇所で、第１部材３１の側面部３１ａに貼付された両面接着テープ３３を介して、反り矯正ユニット４をキャビネット本体２内部の側板１１に仮止めする。その場合、第１部材３１の上面部３１ｂにより下方から支持された第２部材３２の基板３５の上面と側板１１の上端面との間に１〜２ｍｍ程度の隙間ｇが生成するように、反り矯正ユニット４を側板１１に仮止めする。なお、第２部材３２のねじ棒３６に螺合する皿ばねナット３７は締め付けられていない。
【００３２】
次いで、図６に示すように、両面接着テープ３３を挟み付けた状態で、側面部３１ａを介して第１部材３１を側板１１にねじ３４…３４で固着する。
【００３３】
次いで、図７に示すように、第２部材３２の基板３５をワークトップ３の木質基材２２にあてがった状態で、基板３５を介して第２部材３２を木質基材２２にねじ３８…３８で固着する。
【００３４】
そして、ねじ棒３６に螺合する皿ばねナット３７を締め付けることにより、第２部材３２の基板３５が第１部材３１の上面部３１ｂ方向に引き寄せられ、その結果、図４に示したように、ワークトップ３の反りが矯正されて、キャビネット本体２とワークトップ３とは密着する。なお、図５で説明した第２部材３２の基板３５の上面と側板１１の上端面との間に設けられた隙間ｇは、図４における第１部材３１の上面部３１ｂの上面と第２部材３２の基板３５の下面との間の隙間ｇとして反映される。すなわち、引き寄せ時にワークトップ３がキャビネット本体２に密着した状態で、前記隙間ｇがあるから、引き寄せ状態は安定して持続するようになる。
【００３５】
また、図８に示すキッチンキャビネット１Ａのように、キャビネット本体２とワークトップ３との間に、前記第１部材３１とは異なる構成の第１部材４１を用いた反り矯正ユニット４Ａを設置してもよい。なお、この反り矯正ユニット４Ａにおける第２部材３２は、前述したものと同じ構成のものである。
【００３６】
すなわち、前記第１部材４１は樹脂製のブロック状のもので、キャビネット本体２内部の側板１１に固着される側面部４１ａと、上下方向の貫通孔４１ｂとを有している。また、第１部材４１は、接着剤層４２を挟んで側面部４１ａを介して側板１１に固着されている。そして、第２部材３２の基板３５から垂下するねじ棒３６は、前記第１部材４１の貫通孔４１ｂに上方から挿通されており、この挿通されたねじ棒３６に、下方から螺合する皿ばねナット３７が締め付けられている。
【００３７】
以上のように構成したことにより、キャビネット本体２とワークトップ３との間に反り矯正ユニット４，４Ａを設置して、側面部３１ａ，４１ａでキャビネット本体２内部の側板１１に固着された第１部材３１，４１の貫通孔３１ｂ′，４１ｂに、基板３５でワークトップ３の下面に固着された第２部材３２のねじ棒３６を上方から挿通させた状態で、このねじ棒３６に下方から皿ばねナット３７を締め付けることにより、ワークトップ３をキャビネット本体２方向に引き寄せて密着させてワークトップ３の反りを矯正することができ、キャビネット本体２の上方に反りを矯正してワークトップ３を取り付けることができる。
【００３８】
その場合、基板３５を介してワークトップ３とねじ棒３６とが強固に一体化されるので、そのねじ棒３６に対して皿ばねナット３７を締め付けることにより、ワークトップ３をキャビネット本体２方向に大きな力で引き寄せることができ、従来のように多大な労力を費やすことはなく、作業性に優れる。また、取付後も、ワークトップ３の反りが戻ろうとするときの大きな反発力は基板３５により均一に分散するので、木質基材２２を有するワークトップ３の損傷を防止することができる。
【００３９】
その上で、引き寄せ時に緩み止めナットとしての皿ばねナット３７を用いるので、ワークトップ３の反りが戻ろうとして大きな反発力が作用しても、また、ワークトップ３取付後の使用中に振動等があっても、引き寄せ状態が持続し、キャビネット本体２とワークトップ３との間に隙間が生じることはない。
【００４０】
次に、他の実施の形態に係るキッチンキャビネットについて説明する。なお、前記実施の形態における各部材と共通あるいは類似する構成要素については、説明の複雑化を回避するため、特に混乱を招かない限り、同じ符号を付すことにする。
【００４１】
図９に示すキッチンキャビネット１Ｂには、キャビネット本体２とワークトップ３との間に、反り矯正ユニット４ＢとＬ型部材５１とが設置される。
【００４２】
すなわち、この反り矯正ユニット４Ｂでは、前記反り矯正ユニット４において、第２部材３２のねじ棒３６に締め付けられる皿ばねナット３７に代えて、通常のナット３７Ｂが用いられている。なお、これを除く第１部材３１及び第２部材３２の構成は前述したものと同じものである。
【００４３】
一方、Ｌ型部材５１は、キャビネット本体２内部の側板１１に固着される側面部５１ａと、ワークトップ３の木質基材２２に固着される上面部５１ｂとを有しており、反りが矯正されたワークトップ３をねじ５２…５２でキャビネット本体２に固定するものである。
【００４４】
次に、このキッチンキャビネット１Ｂにおけるワークトップ３の取付手順について説明する。
【００４５】
すなわち、反り矯正ユニット４Ｂの設置手順は前述した通りで、ねじ棒３６に螺合するナット３７Ｂを締め付けることにより、反りがあるワークトップ３に固着された実線で示す第２部材３２を二点鎖線で示す位置に矢印ｙで示すように引き寄せて、反りのために生じていたキャビネット本体２とワークトップ３との間の矢印ｘで示す隙間をなくする。そして、ねじ５２…５２でワークトップ３をキャビネット本体２に固定する。
【００４６】
以上のように構成したことにより、この場合にも、キャビネット本体２とワークトップ３との間に反り矯正ユニット４Ｂを設置して、ねじ棒３６に下方からナット３７Ｂを締め付けることにより、ワークトップ３をキャビネット本体２方向に引き寄せて密着させてワークトップ３の反りを矯正することができ、キャビネット本体２の上方に反りを矯正してワークトップ３を取り付けることができる。
【００４７】
その場合、基板３５を介してワークトップ３とねじ棒３６とが強固に一体化されるので、そのねじ棒３６に対してナット３７Ｂを締め付けることにより、ワークトップ３をキャビネット本体２方向に大きな力で引き寄せることができ、従来のように多大な労力を費やすことはなく、作業性に優れる。また、取付後も、ワークトップ３の反りが戻ろうとするときの大きな反発力は基板３５により均一に分散するので、木質基材２２を有するワークトップ３の損傷を防止することができる。
【００４８】
その上で、通常のナット３７Ｂを用いてワークトップ３をキャビネット本体２方向に引き寄せて密着させたのち、Ｌ型部材５１でキャビネット本体２とワークトップ３とを固定するので、ワークトップ３の反りが戻ろうして大きな反発力が作用しても、また、ワークトップ３取付後の使用中に振動等があっても、引き寄せ状態が持続し、この場合にもキャビネット本体２とワークトップ３との間に隙間を生じることはない。
【００４９】
さらに、図９におけるナット３７Ｂを前記皿ばねナット３７のような緩み止めナットに変更することにより、前記引き寄せ状態が一層持続して得られるようになる。
【００５０】
なお、本発明は、具体的に詳述した前記実施の形態に限定されることはなく、本発明の趣旨に沿うものであればよい。
【００５１】
例えば、前記実施の形態では、キャビネット本体２の側板１１とワークトップ３との間に反り矯正ユニット４，４Ａ，４Ｂを設置したが、戸当り桟木１３とワークトップ３との間に設置してもよい。なお、反り矯正ユニット４，４Ａ，４Ｂの設置個数や設置箇所は、ワークトップ３の反り状態やキャビネット本体２の構成等に応じて適宜設定される。
【００５２】
また、前記実施の形態では、第１部材３１，４１に金属製板材を成形したものや樹脂製のブロック状のものを用いたが、ねじ３４のねじ込みやナット３７，３７Ｂの締め付けに対して変形しない強度を有する材質や形状のものが適宜選択可能である。
【００５３】
また、前記実施の形態では、第２部材３２の基板３５に金属製板材のものを用いたが、樹脂製や木質製等、ねじ３８のねじ込みやナット３７，３７Ｂの締め付けに対して変形しない強度を有する材質や形状のものが適宜選択可能である。
【００５４】
また、前記実施の形態では、固定部材にＬ型部材５１を用いたが、金属製、樹脂製、木質製等、ねじ５２のねじ込みに対して変形しない強度を有する材質や形状のものが適宜選択可能である。
【００５５】
また、前記実施の形態では、緩み止めナットとして皿ばねナット３７を用いたが、その他にＵナット、ナイロンナット、フランジナット、スプリングナット、歯付座金ナット等の単体で緩み止め機能を有するものを用いてもよい。さらに、スプリングワッシャと通常のナットとで構成されるもの、２個の通常のナットで構成されるもの等、緩み止め機能を発現する各種の構成のものが適用可能である。
【００５６】
また、前記実施の形態では、キャビネット本体２は、木質板材を組み付けてなるものであったが、金属製や樹脂製のものであってもよい。
【００５７】
そして、前記実施の形態では、ワークトップ３は、ステンレス製のカバー部材２１と木質基材２２とで構成されていたが、人工大理石製のものであってもよい。
【産業上の利用可能性】
【００５８】
以上説明したように、本発明によれば、キャビネット本体の上方に反りを矯正して天板を取り付ける場合に、作業性に優れ、かつ、天板の損傷を防止することができるキャビネット及びキャビネットにおける天板の取付方法が提供される。すなわち、本発明は、室内家具の技術分野に広く好適である。
【図面の簡単な説明】
【００５９】
【図１】本発明の実施の形態に係るキッチンキャビネットの正面図である。
【図２】図１のＩＩ−ＩＩ線による拡大断面図である。
【図３】反り矯正ユニットの拡大正面図である。
【図４】図３のＩＩＩ−ＩＩＩ線による断面図である。
【図５】ワークトップの取付手順を示す概ね図４に相当する図であって、反り矯正ユニットを第１部材を介してキャビネット本体に仮止めした状態を示す。
【図６】同じく、反り矯正ユニットを第１部材を介してキャビネット本体に固着した状態を示す。
【図７】同じく、第２部材をワークトップの下面に固着した状態を示す。
【図８】ブロック状の第２部材を用いた反り矯正ユニットを示す概ね図４に相当する図である。
【図９】反り矯正ユニットとＬ型部材とを用いてワークトップをキャビネット本体に取り付けた状態を示す概ね図３に相当する要部正面図である。
【図１０】従来のキャビネットにおける問題を説明するための正面図である。
【図１１】従来の天板取付方法を説明するための要部断面図である。
【図１２】天板の高さ調整ユニットの要部断面図である。
【符号の説明】
【００６０】
１，１Ａ，１Ｂ      キッチンキャビネット（キャビネット）
２          キャビネット本体
３          ワークトップ（天板）
４，４Ａ，４Ｂ      反り矯正ユニット
１１        側板（キャビネット本体の縦面）
２２        木質基材（天板の下面）
３１，４１          第１部材
３１ａ，４１ａ      側面部
３１ｂ′，４１ｂ    貫通孔
３２        第２部材
３５        基板
３６        ねじ棒
３７        皿ばねナット（緩み止めナット）
３７Ｂ      ナット
５１        Ｌ型部材（固定部材）
【図１】
2007222460.tif 000003
【図２】
2007222460.tif 000004
【図３】
2007222460.tif 000005
【図４】
2007222460.tif 000006
【図５】
2007222460.tif 000007
【図６】
2007222460.tif 000008
【図７】
2007222460.tif 000009
【図８】
2007222460.tif 000010
【図９】
2007222460.tif 000011
【図１０】
2007222460.tif 000012
【図１１】
2007222460.tif 000013
【図１２】
2007222460.tif 000014